(57)【要約】移動通信サービスプロバイダが、２つ以上の同報通信チャンネルプロトコルを使用して、メッセージを同報通信できるようにして、各プロトコルのもとで伝送される同報通信メッセージを受信するように設計された移動局のみを、各同報通信チャンネルスロットを監視するために起動して、他方の同報通信チャンネルプロトコルを使用して伝送される同報通信メッセージを受信するように設計された移動局内のバッテリ寿命を節約するための方法およびシステムを提供する。【選択図】図４
2004535731.tif 000002
【特許請求の範囲】
【請求項１】
同報通信メッセージを供給するための方法であって、
第１のチャンネル上で複数の第１の同報通信ページスロットを伝送することと、
第２のチャンネル上で複数の第２の同報通信ページスロットを伝送することと、
第３のチャンネル上で複数の同報通信指標を伝送して、複数の同報通信指標の各々が、第１または第２の同報通信ページスロットの一方のみを示すことが含まれる方法。
【請求項２】
複数の第１の同報通信ページスロットが、第２のチャンネル上の複数の第２の同報通信ページスロットに対してずれている請求項１記載の方法。
【請求項３】
第１のチャンネル上の複数の第１の同報通信ページスロットと、第２のチャンネル上の複数の第２の同報通信ページスロットとが、異なる同報通信ページサイクル上で伝送される請求項１記載の方法。
【請求項４】
異なる同報通信ページサイクルが、“ｔ”がシステム時間を表わし、“Ｘ”が別のパラメータを表わすとき、
【数１】
2004535731.tif 000009
内の“Ｂ”のパラメータに対して異なる値を割り当てることによって設定される請求項３記載の方法。
【請求項５】
異なる同報通信ページサイクルが、“ｔ”がシステム時間を表わし、“Ｘ”が別のパラメータを表わすとき、
【数２】
2004535731.tif 000010
内の“Ｘ”のパラメータに対して異なる値を割り当てることによって設定される請求項３記載の方法。
【請求項６】
同報通信メッセージを供給するための基地局であって、
第１のチャンネル上で複数の第１の同報通信ページスロットを伝送するための手段と、
第２のチャンネル上で複数の第２の同報通信ページスロットを伝送するための手段と、
第３のチャンネル上で複数の同報通信指標を伝送するための手段であって、複数の同報通信指標の各々が、第１または第２の同報通信ページスロットの一方のみを示す手段とが含まれている基地局。
【請求項７】
第１のチャンネル上の複数の同報通信ページスロットを、第２のチャンネル上の複数の第２のチャンネル上の同報通信ページスロットに対してずらすための手段がさらに含まれる請求項６記載の基地局。
【請求項８】
第１のチャンネル上の複数の第１の同報通信ページスロットと、第２のチャンネル上の複数の第２の同報通信ページスロットとが、異なる同報通信ページサイクルにおいて伝送される請求項６記載の基地局。
【請求項９】
異なる同報通信ページサイクルが、“ｔ”がシステム時間を表わし、“Ｘ”が別のパラメータを表わすとき、
【数３】
2004535731.tif 000011
内の“Ｂ”のパラメータに対して異なる値を割り当てることによって設定される請求項８記載の基地局。
【請求項１０】
異なる同報通信ページサイクルが、“ｔ”がシステム時間を表わし、“Ｘ”が別のパラメータを表わすとき、
【数４】
2004535731.tif 000012
内の“Ｘ”のパラメータに対して異なる値を割り当てることによって設定される請求項８記載の基地局。
【請求項１１】
第１のチャンネルが、順方向のページングチャンネル（F-PCH）である請求項６記載の基地局。
【請求項１２】
第２のチャンネルが、順方向の共通制御チャンネル（F-CCCH）である請求項６記載の基地局。
【請求項１３】
第３のチャンネルが、順方向のクイックページングチャンネル（F-QPCH）である請求項６記載の基地局。
【請求項１４】
同報通信メッセージを与えるための方法であって、
第１のチャンネル上で複数の第１の同報通信ページスロットを伝送することと、
第２のチャンネル上で複数の第２の同報通信ページスロットを伝送することと、
第３のチャンネル上で複数の同報通信指標を伝送して、複数の同報通信指標の各々が、第１または第２の同報通信ページスロットの一方のみを示すこととを含む方法を具現するコンピュータ読み出し媒体。
【請求項１５】
同報通信メッセージを供給するための基地局であって、
第１のチャンネル上で複数の第１の同報通信ページスロットを伝送し、第２のチャンネル上で複数の第２の同報通信ページスロットを伝送し、第３のチャンネル上で複数の同報通信指標を伝送するように構成された送信機と、
送信機を制御して、複数の同報通信指標の各々が、第１または第２の同報通信ページスロットの一方のみを示すように構成されたプロセッサとが含まれる基地局。
【請求項１６】
プロセッサが、第１のチャンネル上の複数の第１の同報通信ページスロットを、第２のチャンネル上の複数の第２の同報通信ページスロットに対してずらすようにさらに構成されている請求項１５記載の基地局。
【請求項１７】
送信機を制御して、第１のチャンネル上の複数の第１の同報通信ページスロットと、第２のチャンネル上の複数の第２の同報通信ページスロットとを、異なる同報通信ページサイクルにおいて伝送するようにさらに構成されている請求項１５記載の基地局。
【請求項１８】
異なる同報通信ページサイクルが、“ｔ”がシステム時間を表わし、“Ｘ”が別のパラメータを表わすとき、
【数５】
2004535731.tif 000013
内の“Ｂ”のパラメータに対して異なる値を割り当てることによって設定される請求項１７記載の基地局。
【請求項１９】
異なる同報通信ページサイクルが、“ｔ”がシステム時間を表わし、“Ｘ”が別のパラメータを表わすとき、
【数６】
2004535731.tif 000014
内の“Ｘ”のパラメータに対して異なる値を割り当てることによって設定される請求項１７記載の基地局。
【発明の詳細な説明】
【技術分野】
【０００１】
本発明は、概ね、遠隔通信システム、とくに、同報通信メッセージを受信するように設計された移動局におけるバッテリ寿命を向上するための方法およびシステムに関する。
【背景技術】
【０００２】
IS-95、IS-95A、およびIS-95Bの標準規格において規定されている符号分割多重アクセス（code division multiple access, CDMA）システムのIS-95系、およびcdma2000のより古いバージョンのようなセルラ電話システムにおいて、基地局は、ページングチャンネル（paging channel, F-PCH）を使用して、同報通信ページおよび同報通信メッセージを目標の移動局へ伝送する。基地局は、クイックページングチャンネル（quick paging channel, F-QPCH）のスロット上で同報通信指標も送り、到来する同報通信ページまたは同報通信メッセージ、あるいはこの両者についてF-PCHチャンネルスロットを監視することを目標の移動局に知らせる。
【０００３】
cdma2000のより新しいバージョンでは、基地局は、同報通信ページを伝送するための共通制御チャンネル（common control channel, F-CCCH）と、同報通信メッセージを伝送するための同報通信制御チャンネル（broadcast control channel, F-BCCH）とを使用する。基地局は、F-QPCHのチャンネルスロット上で同報通信指標を送って、同報通信ページのためのF-CCCHスロットを監視することを目標の移動局に知らせる。同報通信ページは割り当てられたF-BCCHチャンネルスロット（同報通信メッセージを搬送する）を示すこともある。
【０００４】
サービスプロバイダは、これらの同報通信チャンネルプロトコルの何れかを採用することを選択して、目標の移動局へメッセージを同報通信するが、選択した同報通信チャンネルプロトコルのために設計された移動局のみが、同報通信メッセージを受信することができる。両方の同報通信チャンネルプロトコルを使用して、同報通信メッセージを伝送して、何れかの同報通信チャンネルプロトコルにおいて伝送される同報通信メッセージを受信するように設計された移動局が、同報通信メッセージを受信できることが非常に望ましい。
【０００５】
現在、サービスプロバイダが、両方の同報通信チャンネルプロトコルを使用して、同報通信メッセージを伝送するとき、F-QPCHのチャンネルスロット上の同報通信指標（F-PCHまたはF-CCCHのチャンネルの何れかにおいて同報通信ページを監視することを移動局のグループへ知らせるのに使用される）は、他の移動局に対して誤りのシグナリングを行なってしまう。例えば、F-QPCHチャンネル上の同報通信指標は、F-PCHチャンネル上の同報通信ページスロットは正確に示すが、F-CCCHのチャンネル上の同報通信ページスロットを誤って示すことがある。したがって、F-CCCHのチャンネルスロットを監視するように設計されている移動局が、F-CCCHのチャンネルスロットを監視するために、不要に起動されることになる。したがって、これらの移動局は、不要にバッテリーを消費することになる。
【発明の開示】
【発明が解決しようとする課題】
【０００６】
２つ以上の同報通信チャンネルプロトコルを使用して同報通信メッセージを供給する技術において、１つの同報通信チャンネルプロトコルを使用して同報通信メッセージを受信するように設計された移動局が、それ以外の同報通信チャンネルプロトコルを使用して同報通信メッセージを受信するように設計された移動局へ、誤りのシグナリングを生成しないことが求められている。
【課題を解決するための手段】
【０００７】
本発明の１つの態様は、２つ以上の同報通信チャンネルプロトコルを使用して、同報通信メッセージを供給するための方法およびシステムに関する。方法およびシステムには、第１のチャンネル上で複数の第１の同報通信ページスロットを伝送し、第２のチャンネル上で複数の第２の同報通信ページスロットを伝送し、第３のチャンネル上で複数の同報通信指標を伝送し、複数の同報通信指標の各々が、第１または第２の同報通信ページスロットの一方のみを示すことが含まれる。
【０００８】
本発明の１つの実施形態では、第１のチャンネル上の第１の同報通信ページスロットは、第２のチャンネル上の第２の同報通信ページスロットに対してずれている。
本発明の別の実施形態では、第１のチャンネル上の第１の同報通信ページスロットと、第２のチャンネル上の第２の同報通信ページスロットとは、異なる同報通信ページサイクルにおいて伝送される。
【０００９】
本発明の別の実施形態は、同報通信メッセージを供給するための基地局であって、送信機およびプロセッサを含んでいる基地局に関する。送信機は、第１のチャンネル上で複数の第１の同報通信ページスロットを伝送し、第２のチャンネル上で複数の第２の同報通信ページスロットを伝送し、第３のチャンネル上で複数の同報通信指標を伝送するようにされる。プロセッサは、送信機を制御して、複数の同報通信指標の各々が、第１または第２の同報通信ページスロットの一方のみを示すようにされる。
【００１０】
本発明の１つの実施形態では、プロセッサは、さらに加えて、第１のチャンネル上の複数の第１の同報通信ページスロットが、第２のチャンネル上の複数の第２の同報通信ページスロットに対してずらすようにされる。
本発明の１つの実施形態では、プロセッサは、さらに加えて、送信機を制御して、第１のチャンネル上の複数の第１の同報通信ページスロットと、第２のチャンネル上の複数の第２の同報通信ページスロットとを、異なる同報通信ページサイクルで伝送するようにされる。
【発明を実施するための最良の形態】
【００１１】
ページングチャンネルは、８０ミリ秒のスロットへ分割され、これらのスロットはページングチャンネルスロットと呼ばれる。非スロットモードで動作している移動局へのページングおよび制御メッセージは、ページングチャンネルスロットの１つにおいて受信される。したがって、非スロットモードの動作では、移動局は全てのスロットを監視しなければならない。順方向の共通制御チャンネルは、８０ミリ秒のスロットへ分割され、これらのスロットは順方向の共通制御チャンネルスロットと呼ばれる。非スロットモードで動作している移動局へのページングおよび移動に関するメッセージは、順方向の共通制御チャンネルスロットの１つにおいて受信される。したがって、非スロットモードの動作では、移動局は順方向の共通制御チャンネルを継続的に監視しなければならない。
【００１２】
ページングチャンネルプロトコル、または順方向の共通制御チャンネルプロトコルは、ある特定の割り当てられたスロットにおいて、特定の移動局へのメッセージの伝送のスケジューリングを与える。スロットモードで動作しているとは、移動局が、割り当てられたスロット中のみにおいて、ページングチャンネルまたは順方向の共通の制御チャンネルを監視することを指す。ページングチャンネルまたは順方向の共通の制御チャンネルが監視されていないスロットの間は、移動局は、電力を節約するために処理を停止または低減する。
【００１３】
スロットモードで動作している移動局は、一般に、１スロットサイクルの、１つ以上のスロットにおいて、ページングチャンネルか、または順方向の共通制御チャンネルを監視する。移動局は、例えば、登録メッセージ、送信元メッセージ、またはページ応答メッセージ内に与えられているSLOT CYCLE INDEXフィールドを使用することによって、好ましいスロットサイクルを特定する。移動局は、状態応答メッセージまたは拡張形状態応答メッセージの端末情報記録のSLOT CYCLE INDEXフィールドを使用して、好ましいスロットサイクルを特定する。当業者には、ここで参照したメッセージが、cdma2000の標準規格において規定されていることが分かるであろう。
【００１４】
基地局は、同報通信メッセージ、例えば、同報通信アドレスのデータバーストメッセージを、目標の移動局へ伝送する。スロットモードで動作している移動局に、同報通信メッセージが自分へ伝送されていることを知らせるために、基地局は、同報通信ページ、例えば、同報通信アドレスのタイプの一般ページメッセージ（general page message, GPM）または汎用ページメッセージ（universal page message, UPM）を、目標の移動局へ送る。同報通信ページおよび対応する同報通信メッセージを移動局へ伝送する物理チャンネルが１本か、または複数本かは、共通のチャンネルの構成に依存する。ここでは、２つの例示的なチャンネル構成について検討する。
【００１５】
第１の構成は、CDMAシステムのIS-95系とcdma2000のより先に公開されたものとにおいて使用されている同報通信チャンネルプロトコルに対応する。この構成では、順方向チャンネルには、ページングチャンネル（F-PCH）とクイックページングチャンネル（F-QPCH）とが含まれる。同報通信ページ（同報通信メッセージを収めている一組の一方の同報通信メッセージスロットを示す）と、同報通信メッセージとの両者は、F-PCH上で送られる。
【００１６】
第２の構成は、cdma2000のより新しく公開されたもの、例えば、リリースＡ（Release A）において使用されている同報通信チャンネルプロトコルに対応する。この構成では、順方向チャンネルには、共通制御チャンネル（F-CCCH）、同報通信制御チャンネル（F-BCCH）、およびクイックページングチャンネル（F-QPCH）が含まれる。同報通信ページはF-CCCH上で送られ、同報通信メッセージはF-BCCH上で送られる。
【００１７】
同報通信ページは、特別に定められたチャンネルスロットサイクルにおいて、F-PCHまたはF-CCCHの何れかに分配される。F-PCH上では、同報通信ページングサイクル（broadcast paging cycle, BPC）は、（Ｂ１＋Ｘ１）のF-PCHスロットの継続期間を有し、
Ｂ１＝２ｉ×１６，１≦ｉ≦７
であり、ｉ＝BCAST INDEXは、基地局によって、拡張形システムパラメータメッセージにおいて伝送されるか、または拡張形システムパラメータメッセージが送られないときは、デフォルトによって設定される。
【００１８】
正規のページを干渉せずに、オーバーヘッドを低減し、かつ効率的にするために、同報通信ページは、同報通信ページングサイクルの第１のスロットにおいて送られる。F-PCH上の各同報通信ページングサイクルの第１のスロットは、ページングチャンネルスロットであり、ｔが、フレーム内のシステム時間を表現するとき、次の式で表わすことができる。
【００１９】
【数７】
2004535731.tif 000003
同報通信ページは、特別に定められたF-CCCHのスロットサイクルにおいても分配される。F-CCCH上では、ＢＰＣは、（Ｂ２＋Ｘ２）のF-CCCHのチャンネルスロットの継続期間を有し、
Ｂ２＝２１＋ｉ×１６，１≦ｉ≦７
であり、ｉ＝BCAST INDEXは、基地局によってシステムパラメータメッセージにおいて伝送される。F-CCCH上の各同報通信ページングサイクルの第１のスロットは、F-CCCHスロットであり、ｔが、フレーム内のシステム時間を表現するとき、次の式で表わすことができる。
【００２０】
【数８】
2004535731.tif 000004
F-QPCHはスロットへ分割され、スロットは、例えば、８０ミリ秒であり、F-QPCHスロットと呼ばれる。F-QPCHプロトコルは、F-QPCHスロットのページング指標、構成変更指標、および同報通信指標の伝送のスケジューリングを与える。各同報通信ページングサイクルスロットの不要な監視により、移動局においてバッテリが消耗するが、これを低減するために、F-QPCHスロットは、同報通信指標（broadcast indicator, BI）ビットを含む。BIビットは、F-PCH/F-CCCHスロットを監視するときを、目標の移動局へ知らせるのに使用される。したがって、例えば、F-CCCH上に同報通信ページがあるときは、対応するF-QPCHスロットのBIビットをオンにして、F-CCCHスロットを監視することを目標の移動局へ知らせる。
【００２１】
１つの実施形態では、サービスプロバイダは、F-PCHおよびF-CCCH/F-BCCHの両者の同報通信チャンネルプロトコルを使用して、同報通信メッセージングを支援する。したがって、両方のチャンネルプロトコルが、スロットモードでクイックページングチャンネル（F-QPCH）で働くとき、このF-QPCHを使用して、同報通信ページのためのF-PCHまたはF-CCCH/F-BCCHの何れかを監視するように構成されている移動局へ知らせる。この実施形態では、F-PCHに対応するBIは、移動ユニットのグループに、F-PCH上のページングチャンネルスロットを監視することを知らせ、F-CCCHに対応するBIビットは、移動局の別のグループに、F-CCCH上の順方向の共通制御チャンネルスロットを監視することを知らせる。
【００２２】
図１は、メッセージの同報通信において使用される順方向チャンネルの例示的な構成の表現を示している。F-PCH/F-CCCH 102は、８０ミリ秒のスロット104へ分割され、スロット104はページングチャンネルスロットと呼ばれる。クイックページングチャンネル106は、８０ミリ秒のスロット108へ分割され、スロット108はF-QPCHスロットと呼ばれる。１つの実施形態にしたがうと、移動局がスロットモードで動作し、同報通信メッセージを受信するように構成され、かつクイックページングチャンネル方式を支援するとき、移動局は、割り当てられたF-QPCHチャンネルスロット上の同報通信指標を監視する。割り当てられたF-QPCHチャンネルスロットは、移動局の割り当てられた同報通信ページスロットから、図１に示されているように、所定の時間間隔110、例えば、１００ミリ秒分ずれている。
【００２３】
図２は、本発明の種々の態様を実行することができる基地局204および遠隔端末206についての実施形態の単純化されたブロック図である。特定の通信において、音声データ、パケットデータ、および／またはメッセージは、基地局204と遠隔端末206との間で、エアーインターフェイス208を介して交換することができる。種々のタイプのメッセージ、例えば、基地局と遠隔端末との間で通信セッションを設定するために使用されるメッセージ、およびデータ伝送を制御するために使用されるメッセージ（例えば、電力制御、データレート情報、肯定応答、等）が伝送される。
【００２４】
逆方向リンクでは、遠隔端末206において、（例えば、データ源210からの）音声データまたはパケットデータ、あるいはこの両者と、（例えば、制御装置230からの）メッセージとが、送信（transmit, TX）データプロセッサ212へ供給され、TXデータプロセッサ212は、符号化されたデータを生成するための１つ以上の符号化方式を使用して、データおよびメッセージをフォーマットして、符号化する。各符号化方式には、巡回冗長検査（cyclic redundancy check, CRC）、畳込み、ターボ、ブロック、および他の符号化が含まれているか、または符号化は全く行われない。音声データ、パケットデータ、およびメッセージは、異なる方式を使用して符号化され、異なるタイプのメッセージが別々に符号化される。
【００２５】
その後で、符号化されたデータは、変調器（modulator, MOD）214へ供給され、さらに処理される（例えば、カバーされ、短いPN系列で拡散され、およびユーザ端末に割り当てられた長いPN系列でスクランブルされる）。その後で、変調されたデータは、送信機装置（transmitter unit, TMTR）216へ供給され、調整され（例えば、1つ以上のアナログ信号へ変換され、増幅され、フィルターにかけられ、および直交変調される）、逆方向のリンク信号が生成される。逆方向のリンク信号は、デュープレクサ（duplexer, D）218を通ってルート設定され、アンテナ220を介して基地局204へ伝送される。
【００２６】
基地局204では、逆方向のリンク信号は、アンテナ250によって受信され、デュープレクサ252を通ってルート設定され、受信機装置（receiver unit, RCVR）254へ供給される。受信機装置254は受信信号を調整し（例えば、フィルターにかけ、増幅し、ダウンコンバートし、およびディジタル化する）、サンプルを供給する。復調器（demodulator, DEMOD）256は、サンプルを受信して、処理し（例えば、逆拡散し、デカバーし、およびパイロット復調する）、回復されたシンボルを供給する。復調器（DEMOD）256には、レーキ受信機が構成されており、レーキ受信機は、受信信号の多数のインスタンスを処理して、組み合わせのシンボルを生成する。その後で、受信（receiving, RX）データプロセッサ258は、シンボルを復号して、逆方向リンク上で伝送されたデータおよびメッセージを回復する。回復された音声／パケットデータは、データシンク260へ供給され、回復されたメッセージは制御装置270へ供給される。復調器（DEMOD）256およびRXデータプロセッサ258による処理は、遠隔端末206において行われる処理と相補的である。復調器（DEMOD）256およびRXデータプロセッサ258は、さらに加えて、多数のチャンネル、例えば、逆方向の基礎チャンネル（reverse fundamental channel, R-FCH）および逆方向の補助チャンネル（reverse supplemental channel, R-SCH）を介して受信した多数の伝送を処理するように動作もする。さらに加えて、伝送は、多数の遠隔端末から同時に行われ、各伝送は、逆方向の基礎チャンネル、逆方向の補助チャンネル、またはこの両者において伝送される。
【００２７】
順方向リンク上では、基地局204において、（例えば、データ源262からの）音声データまたはパケットデータ、あるいはこの両者と、（例えば、制御装置270からの）メッセージとは、送信（TX）データプロセッサ264によって処理され（例えば、フォーマットされ、および符号化される）、さらに変調器（MOD）266によってさらに処理され（例えば、カバーされ、および拡張される）、送信機装置（TMTR）268によって調整され（例えば、アナログ信号へ変換され、増幅され、フィルターにかけられ、および直交変調される）、順方向のリンク信号が生成される。順方向のリンク信号は、デュープレクサ（D）252を通ってルート設定され、アンテナ250を介して、遠隔端末206へ伝送される。
【００２８】
遠隔端末206では、順方向のリンク信号は、アンテナ220によって受信され、デュープレクサ（D）218を通ってルート設定され、受信機装置（RCVR）222へ供給される。受信機装置（RCVR）222は、受信信号を調整し（例えば、ダウンコンバートし、フィルターにかけ、増幅し、直交変調し、およびディジタル化する）、サンプルを供給する。サンプルは、復調器（DEMOD）224によって処置され（例えば、逆拡散され、デカバーされ、およびパイロット復調される）、シンボルが供給され、シンボルは、受信データプロセッサ226によってさらに処理され（例えば、デコードされ、および検査される）、順方向のリンク上を伝送されたデータおよびメッセージが回復される。回復されたデータは、データシンク228へ供給され、回復されたメッセージは、制御装置230へ供給される。
【００２９】
図３は、F-CCCH 302、F-QPCH 304、およびF-PCH 306のための例示的な構成の表現を示している。図３に示されている構成では、F-CCCHの同報通信ページングサイクルと、F-PCHの同報通信ページングサイクルとは、同一の継続期間を有し、かつ同一のスロット番号から始まる。このために、各同報通信ページスロットは重なり合う。例えば、F-CCCH 302上の同報通信ページスロット302Aは、F-PCH 306上の同報通信ページスロット306Aと重なり合う。したがって、F-QPCHスロット上のBIビットは、F-CCCHおよびF-PCHの両者の上の同報通信ページスロットを示す。とくに、F-QPCHスロット上のBIビットが、実際には、F-PCHチャンネル306のみに宛てられているとき、同じBIビットが、F-CCCHチャンネル302も間違って示してしまう。この誤りのシグナリングにより、F-CCCH上の同報通信ページを受信するように設計されている移動局は、F-CCCHを不要に起動して、監視する。例えば、F-QPCHスロット304A内のBIビットであって、F-PCH上の同報通信ページスロット306Aを示すBIビットは、実線の矢印によって示されているように、F-PCHスロット306Aを監視するように設計されている移動局を正確に起動する。しかしながら、ＢＰＣが重なり合っているために、同じBIビットは、点線によって示されているF-CCCH 302上の同報通信ページスロット302Aも示し、F-CCCHを監視するように設計されている移動局を間違って起動してしまう。
【００３０】
本発明の1つの実施形態にしたがうと、図４に示されているように、F-PCH上のBPCとF-CCCH上のBPCとは、互いにずれていて、したがってF-CCCH上の同報通信スロットとF-PCH上の同報通信スロットとは重なり合わない。図４では、F-CCCH 402上の同報通信ページスロットは、F-PCH 406上の同報通信ページスロットと重なり合わない。したがって、F-QPCHチャンネル上のクイックページングチャンネルスロット上のBIビットは、F-CCCHのスロットとF-PCHのスロットの両方を示すわけではない。とくに、BIビットがF-PCHまたはF-CCCHの一方のみに宛てられているときは、同じBIは、F-PCHおよびF-CCCHの他方を示さず、したがって、移動局が、同報通信メッセージのための各チャンネルを不要に起動して監視するのを効果的に防ぐ。例えば、F-QPCHスロット404A内のBIビットであって、F-PCH 406上の同報通信ページスロット406Aを示すBIビットは、実線の矢印によって示されているように、F-PCHを監視するように設計されている移動局を正確に起動する。F-QPCHスロット404Aは、F-CCCH 402上の同報通信ページスロット402Aよりも、許容時間間隔（例えば、１００ミリ秒）を越えて前に位置しているので、同じBIはF-CCCH 402の同報通信ページスロット402Aを示さない。したがって、２つのBPCは重なり合わず、意図された目標の移動局のみが起動して、各同報通信ページスロットを監視する。この実施形態の長所は次の２つである。（１）重なり合いを避けるために、一方のBPCの継続期間を長くする必要はない（一方のBPCの継続期間を長くすると、同報通信メッセージを伝達するための平均遅延が長くなる）。（２）２つのBPCは何れのスロットにおいても重なり合わず、したがって同報通信ページングによる誤り警報が無くなり、移動局のバッテリ性能が向上する。
【００３１】
この実施形態にしたがうと、基地局は、所定のずれを、BPCを求める式の一方へ構成し、BPCの第1のスロットを所定シフト分ずらす。１つの実施形態では、基地局は、次の式に示されているように、F-CCCH上のBPCか、またはF-PCH上のBPCの何れかに、“Ｎ”スロットのずれを取入れる。
【００３２】
【数９】
2004535731.tif 000005
例えば、Ｂ＋Ｘ＝６５であるとき、基地局は、F-PCHのBPCと比較して、F-CCCH上のBPCに２スロットのずれを取入れる。図４は、対応するBPCを示し、対応するBPCの第１のスロットを、次の表に示す。
【００３３】
【表１】
2004535731.tif 000006
本発明の別の実施形態にしたがうと、基地局は、F-PCHおよびF-CCCHの各BPCを求める式中のＸ１およびＸ２に対する異なる値を特定し、それによってF-PCHおよびF-CCCHのBPCに異なる期間をもたせる。図５は、Ｘ１およびＸ２の異なる値が、F-CCCHではBPC＝４であり、F-PCHではBPC＝３であるといった例示的なシナリオを示している。したがって、F-CCCH 502上の同報通信ページスロットは、F-PCH 506の同報通信ページスロットと重なり合わない。したがって、F-QPCHスロット上の同じBIビットは、F-CCCHスロットおよびF-PCHスロットの両者を示すわけではない。とくに、BIビットが、F-PCHチャンネルおよびF-CCCHチャンネルの一方のみに宛てられているときは、同じBIビットは、F-PCHおよびF-CCCHの他方を示さず、移動局の不要な起動が効果的に避けられる。例えば、F-QPCHスロット504A内のBIビットであって、F-PCH 506上の同報通信ページスロット506Aを示すBIビットは、F-PCHを監視するように設計された移動局を正確に起動する。F-QPCHスロット504Aは、F-CCCH 502上の同報通信ページングスロット502Aよりも、許容時間間隔（例えば、１００ミリ秒）を越えて前に位置しているので、同じBIビットは、F-CCCH 502上の同報通信ページスロット502Aを示さない。例えば、Ｂ＝６４であり、基地局が、F-PCHに対してはＸ１＝１、F-CCCHに対してはＸ２＝２に設定するとき、次の表は、結果のBPCの第１のスロットを示す。
【００３４】
【表２】
2004535731.tif 000007
本発明のさらに別の実施形態にしたがうと、基地局はF-PCHのBPC値とF-CCCHのBPC値とを直接に特定する。基地局は、F-PCHのBPCとF-CCCHのBPCとを求める式において、Ｂ１およびＢ２に異なる値を特定し、それによってF-PCHのBPCとF-CCCHのBPCとに異なる期間をもたせる。基地局は、F-PCHの拡張形システムパラメータメッセージおよびF-CCCHのシステムパラメータメッセージ内の（BCAST INDEXパラメータではなく）パラメータ“Ｂ”を特定する。
【００３５】
例えば、基地局は、図５に示されているように、F-CCCHチャンネルに対してはBPC＝４、F-PCHチャンネルに対してはBPC＝３に設定する。したがって、F-CCCH 502上の同報通信ページスロットは、恐らくは、第１のBPCにおける第１のスロットを除いて、F-PCH506上の同報通信ページスロットと重なり合わない。したがって、F-QPCHスロット上の同じBIビットは、F-CCCHスロットおよびF-PCHスロットの両者を示すわけではない。とくに、BIビットが、F-PCHおよびF-PCCCHの一方のみに宛てられているときは、同じBIビットは、F-PCHおよびF-PCCCHのチャンネルの他方を示さず、移動局の不要な起動を効果的に防ぐ。例えば、F-QPCHスロット504A内のBIビットであって、F-PCH506上の同報通信ページスロット506Aを示すBIビットは、F-PCHを監視するように設計された移動局を正確に起動する。F-QPCHスロット504Aは、F-CCCH502上の同報通信ページングスロット502Aよりも、許容時間間隔（例えば、１００ミリ秒）を越えて前に位置しているので、同じBIビットは、F-CCCH502上の同報通信ページスロット502Aを示さない。
【００３６】
例えば、F-PCHに対してはＢ１＝６０、F-CCCHに対してはＢ２＝６２として、対応するBPCの第１のスロットを次の表に示した。
【００３７】
【表３】
2004535731.tif 000008
当業者には、情報および信号が、種々の異なる技術およびプロトコルを使用して表現されることが分かるであろう。例えば、上述で全体的に参照したデータ、指令、命令、情報、信号、ビット、シンボル、およびチップは、電圧、電流、電磁波、磁界または磁粒、光の界または粒子、あるいはこの組合せによって表現される。
【００３８】
当業者には、本明細書において開示されている実施形態に関係して記載されている種々の例示的な論理ブロック、モジュール、回路、およびアルゴリズムのステップは、電子ハードウエア、コンピュータソフトウエア、またはこの両者の組合せとして構成されていることが分かるであろう。ハードウエアとソフトウエアとのこの互換性を明らかに示すために、種々の例示的な構成要素、ブロック、モジュール、回路、およびステップが、機能に関して上述で全体的に記載されている。このような機能が、ハードウエアとして構成されているか、またはソフトウエアとして構成されているかは、全体的なシステムに課された特定のアプリケーションおよび設計の制約に依存する。熟練した技能をもつ者は、各特定のアプリケーションに対して種々のやり方で、記述されている機能を実行するが、このような機能の実行の決定は、本発明の技術的範囲から逸脱しないと解釈すべきである。
【００３９】
本明細書に開示されている実施形態と関係して記載されている種々の例示的な論理ブロック、モジュール、および回路は、汎用プロセッサ、ディジタル信号プロセッサ（digital signal processor, DSP）、特定要素向け集積回路（application specific integrated circuit, ASIC）、フィールドプログラマブルゲートアレイ（field programmable gate array, FPGA）または他のプログラマブル論理装置、ディスクリートなゲートまたはトランジスタ論理、ディスクリートなハードウエア構成要素、あるいは本明細書に記載されている機能を実行するように設計されているものの組み合わせで構成または実行される。汎用プロセッサは、マイクロプロセッサであってもよいが、その代わりに、従来のプロセッサ、制御装置、マイクロ制御装置、または状態機械であってもよい。プロセッサは、計算機の組合せ、例えば１台のＤＳＰと１台のマイクロプロセッサ、複数のマイクロプロセッサ、１台のＤＳＰのコアと組合されている１台以上のマイクロプロセッサ、またはこのような構成をもつ他のものの組合せとしても構成される。
【００４０】
本明細書に記載されている実施形態と関係して開示されている方法またはアルゴリズムのステップは、ハードウエア、プロセッサによって実行されるソフトウエアモジュール、またはこの２つの組合せにおいて直接に具現される。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、またはこの技術において知られている他の形態の記憶媒体内にあってもよい。例示的な記憶媒体はプロセッサに接続され、したがって、プロセッサは、記憶媒体から情報を読み出し、記憶媒体へ情報を書込むことができる。その代りに、記憶媒体はプロセッサと一体構成であってもよい。プロセッサおよび記憶媒体は、ＡＳＩＣ内にあってもよい。ＡＳＩＣは、ユーザ端末内にあってもよい。その代りに、プロセッサおよび記憶媒体は、ディスクリートな構成要素として、ユーザ端末内にあってもよい。
【００４１】
開示された実施形態についてのこれまでの記載は、この技術に熟練した者が、本発明を作成または使用できるようにするために与えられている。当業者には、これらの実施形態に対する種々の変更が容易に分かり、かつ本明細書で定義されている全体的な原理は、本発明の意図または技術的範囲から逸脱することなく、他の実施形態に適用してもよい。したがって、本発明は、本明細書に示されている実施形態に制限されるのではなく、本明細書に開示されている原理および新規な特徴に一致する最も幅広い範囲にしたがうことを意図されている。本明細書では、専ら“例示的”という言葉を使用して、“例、事例、または実例としての役割を果たす”ことを意味する。“例示”として本明細書に記載されている実施形態を、他の実施形態よりも好ましい、または効果的であると解釈する必要はない。
【図面の簡単な説明】
【００４２】
【図１】メッセージの同報通信において使用される順方向チャンネルの例示的な構成を示す図。
【図２】メッセージの同報通信において使用される例示的な基地局と移動局とを示す図。
【図３】第１の実施形態にしたがって、順方向の同報通信チャンネルに対する例示的な同報通信ページングサイクルを示す図。
【図４】第２の実施形態にしたがって、順方向の同報通信チャンネルに対する例示的な同報通信ページングサイクルを示す図。
【図５】第３の実施形態にしたがって、順方向の同報通信チャンネルに対する例示的な同報通信ページングサイクルを示す図。
【符号の説明】
【００４３】
110・・・所定の時間間隔、204・・・基地局、206・・・遠隔端末、208・・・エアーインターフェイス。
【図１】
2004535731.tif 000015
【図２】
2004535731.tif 000016
【図３】
2004535731.tif 000017
【図４】
2004535731.tif 000018
【図５】
2004535731.tif 000019
【国際公開パンフレット】
2004535731.tif 000020
2004535731.tif 000021
2004535731.tif 000022
2004535731.tif 000023
2004535731.tif 000024
2004535731.tif 000025
2004535731.tif 000026
2004535731.tif 000027
2004535731.tif 000028
2004535731.tif 000029
2004535731.tif 000030
2004535731.tif 000031
2004535731.tif 000032
2004535731.tif 000033
2004535731.tif 000034
2004535731.tif 000035
2004535731.tif 000036
2004535731.tif 000037
2004535731.tif 000038
2004535731.tif 000039
2004535731.tif 000040
2004535731.tif 000041
2004535731.tif 000042
2004535731.tif 000043
【国際調査報告】
2004535731.tif 000044
2004535731.tif 000045
2004535731.tif 000046